(57)【要約】【課題】対向配置された２つの電極間の電位差によって第１の情報と第２の情報とを基材の同一面側にて表示する場合に、第１の情報を表示する領域が電極とこれに接続された配線とが絶縁層を介して接続され、第２の情報を表示する領域が電極とこれに接続された配線とが絶縁層を介さずに基材の同一面上に形成されていても、これら２つの領域間に段差を生じさせない。【解決手段】二次元コード領域２０には、複数のセル電極２１に接続された配線２２をベース基板１１上に形成し、セル電極２１のそれぞれを、ベース基板１１の配線２２が形成された面上に積層された絶縁層１２上に、絶縁層１２に形成されたスルーホール１３を介して配線２２と接続して形成する一方、バーコード領域３０には、ベース基板１１上に絶縁層１２を積層し、この絶縁層１２上に帯状電極３１及び配線３２を形成する。【選択図】図３
2012073480.tif 000002
【特許請求の範囲】
【請求項１】
ベース基材の一方の面側に配置された複数の表示電極からなる第１の電極層と、前記ベース基材の前記一方の面側に前記複数の表示電極に接続されて配置された配線と、前記第１の電極層の前記ベース基材とは反対側に対向配置された第２の電極層と、前記第１の電極層と前記第２の電極層との間に挟み込まれた情報表示層とを有し、前記複数の表示電極と前記第２の電極層との間の電位差に応じた前記情報表示層による色が前記第２の電極層側から視認される情報表示装置において、
前記配線が前記ベース基材上に形成され、前記第１の電極層が、前記ベース基材の前記配線が形成された面上に積層された絶縁層上に、該絶縁層に形成された導通部を介して前記配線と接続されて形成された第１の領域と、
前記ベース基材上に前記絶縁層が積層され、該絶縁層上に前記第１の電極層及びこれに接続された前記配線が形成された第２の領域とを有することを特徴する情報表示媒体。
【発明の詳細な説明】
【技術分野】
【０００１】
本発明は、対向配置された２つの電極間の電位差によって第１の情報と第２の情報とを基材の同一面側にて表示する場合に、第１の情報を表示する領域と第２の情報を表示する領域との段差の解消技術に関する。
【背景技術】
【０００２】
従来より、物品を管理するためにバーコードが利用されている。このバーコードは、白色領域にて識別情報を複数本からなる黒色線の幅及び間隔で表したものであり、バーコードリーダで読み取ることにより識別情報を認識することができる。また、近年では、識別情報を、互いに異なる色に塗り分けられたドットで表されるセルの分布パターンで表現した二次元コードが利用されている。二次元コードは、上述したようなバーコードと比べて、ドットで表されるセルの分布パターンという二次元で識別情報を表現するものであることから、多くの情報を表現することができる。
【０００３】
このようなバーコードや二次元コードは、物品に直接印刷されたり、ラベルに印刷されて物品に貼付されたりして利用されている。そのため、一度印刷されたバーコードや二次元コードを変更することができず、バーコードや二次元コードを変更する場合は、物品にバーコードや二次元コードを印刷しなおしたり、変更したバーコードや二次元コードが印刷されたラベルを貼りなおしたりしなければならない。
【０００４】
ここで、対向する電極間に液晶や表示媒体を配置し、その電極に印加する電位を用いて液晶や表示媒体の状態を変化させて情報を表示する情報表示パネルを用いてバーコードや二次元コードを表示する技術が考えられている（例えば、特許文献１参照。）。そこで、これらの技術を組み合わせることにより、対向する電極間の電位差によって液晶や表示媒体の状態を変化させてバーコードと二次元コードとを基材の同一面側にて可変表示することができる。
【先行技術文献】
【特許文献】
【０００５】
【特許文献１】特開２００６−２３４９１１号公報
【発明の概要】
【発明が解決しようとする課題】
【０００６】
ところで、上述したように液晶や表示媒体を用いてバーコードや二次元コードを表示する場合、これら液晶や表示媒体を挟み込む電極間の電位差を可変することになるため、バーコードを構成するバーや二次元コードを構成するセルドット毎に電極を配置し、この電極のそれぞれに、電圧を印加するための配線を接続することになる。
【０００７】
ところが、液晶や表示媒体を用いて二次元コードを表示するものにおいては、二次元コードを構成するドット毎に設けられた電極のそれぞれに配線を接続する場合、セルドットが密に配置されていると、電極に接続された配線を他の電極間を介して外部に引き出すことが困難となるため、配線と電極との間に絶縁層を介在させ、絶縁層に形成されたスルーホールを介して配線と電極とを接続することになる。一方、液晶や表示媒体を用いてバーコードを表示するものにおいては、バーが非常に細いものとなる場合、そのバーに対応する電極にスルーホールを形成することが困難であるため、配線と電極とを絶縁層を介さずに基材の同一面上に形成することとなる。
【０００８】
そのため、バーコードと二次元コードとを基材の同一面側にて可変表示する場合、二次元コードが表示される領域においては、電極と絶縁層と配線とが積層された状態となっている一方、バーコードが表示される領域においては、電極と配線とが絶縁層を介さずに基材の同一面上に形成された状態となっており、それにより、二次元コードが表示される領域とバーコードが表示される領域とで段差が生じてしまい、光の乱反射や光のノイズが生じてしまうという問題点がある。
【０００９】
本発明は、上述したような従来の技術が有する問題点に鑑みてなされたものであって、対向配置された２つの電極間の電位差によって第１の情報と第２の情報とを基材の同一面側にて表示する場合に、第１の情報を表示する領域が電極とこれに接続された配線とが絶縁層を介して接続され、第２の情報を表示する領域が電極とこれに接続された配線とが絶縁層を介さずに基材の同一面上に形成されていても、これら２つの領域間に段差を生じさせることがない情報表示媒体を提供することを目的とする。
【課題を解決するための手段】
【００１０】
上記目的を達成するために本発明は、
ベース基材の一方の面側に配置された複数の表示電極からなる第１の電極層と、前記ベース基材の前記一方の面側に前記複数の表示電極に接続されて配置された配線と、前記第１の電極層の前記ベース基材とは反対側に対向配置された第２の電極層と、前記第１の電極層と前記第２の電極層との間に挟み込まれた情報表示層とを有し、前記複数の表示電極と前記第２の電極層との間の電位差に応じた前記情報表示層による色が前記第２の電極層側から視認される情報表示装置において、
前記配線が前記ベース基材上に形成され、前記第１の電極層が、前記ベース基材の前記配線が形成された面上に積層された絶縁層上に、該絶縁層に形成された導通部を介して前記配線と接続されて形成された第１の領域と、
前記ベース基材上に前記絶縁層が積層され、該絶縁層上に前記第１の電極層及びこれに接続された前記配線が形成された第２の領域とを有することを特徴する。
【００１１】
上記のように構成された本発明においては、ベース基材の一方の面側に配置された複数の表示電極と、この複数の表示電極からなる第１の電極層のベース基材とは反対側に対向配置された第２の電極層との間の電位差に応じて、これら第１の電極層と第２の電極層との間に挟み込まれた情報表示層による色が第２の電極層側から視認されることになる。第１の領域においては、複数の表示電極に接続された配線がベース基材上に形成され、第１の電極層が、ベース基材の配線が形成された面上に積層された絶縁層上に、絶縁層に形成された導通部を介して配線と接続されて形成されている。このため、第１の領域においては、二次元コードのように複数の表示電極に接続された配線を他の表示電極間を介して外部に引き出すことが困難となるものを表示することができる。一方、第２の領域においては、複数の表示電極からなる第１の電極層とこれに接続された配線とが同一面に形成されている。このため、第２の領域においては、バーコードのように表示電極を非常に細いものとする必要があることにより、その表示電極にスルーホールを形成することが困難なものを表示することができる。そして、第２の領域においては、ベース基材上に絶縁層が積層され、その絶縁層上に第１の電極層及び配線が形成されているので、この絶縁層によって、第１の領域との間の厚みの差が吸収され、第１の領域と第２の領域との間にて段差が生じることがなくなる。
【発明の効果】
【００１２】
以上説明したように本発明においては、二次元コードのように複数の表示電極に接続された配線を他の表示電極間を介して外部に引き出すことが困難となるものを表示する第１の領域には、複数の表示電極に接続された配線がベース基材上に形成され、第１の電極層が、ベース基材の配線が形成された面上に積層された絶縁層上に、絶縁層に形成された導通部を介して配線と接続されて形成されている一方、バーコードのように表示電極を非常に細いものとする必要があることにより、その表示電極にスルーホールを形成することが困難なものを表示する第２の領域には、ベース基材上に絶縁層が積層され、その絶縁層上に第１の電極層及び配線が形成されているので、この絶縁層によって、第１の領域と第２の領域との間の厚みの差が吸収され、それにより、第１の情報を表示する第１の領域が表示電極とこれに接続された配線とが絶縁層を介して接続され、かつ、第２の情報を表示する第２の領域が表示電極とこれに接続された配線とが絶縁層を介さずに同一面上に形成されていても、これら２つの領域間に段差を生じさせることを回避することができる。
【図面の簡単な説明】
【００１３】
【図１】本発明の情報表示媒体によって表示されるコード情報の一例を示す図である。
【図２】本発明の情報表示媒体の実施の一形態に用いられる配線電極基板の構成を示す図であり、（ａ）は表面から見た図、（ｂ）は（ａ）に示したＡ−Ａ’断面図である。
【図３】図２に示した配線電極基板を用いた情報表示媒体の構成を示す図であり、（ａ）は表面から見た図、（ｂ）は（ａ）に示したＡ−Ａ’断面図、（ｃ）は（ｂ）に示したＡ部拡大図である。
【図４】図３に示したコード表示カードの製造方法を説明するための図である。
【図５】図３に示したコード表示カードによって図１に示したコード情報を表示する際の動作を説明するための図であり、（ａ）はセル電極と透明電極との間における電位差による帯電性粒子の移動を示す図、（ｂ）はコード表示カードを透明導電膜基板側から見た場合の見え方を示す図である。
【発明を実施するための形態】
【００１４】
以下に、本発明の実施の形態について図面を参照して説明する。
【００１５】
まず、本発明の情報表示媒体によって表示されるコード情報について説明する。
【００１６】
図１は、本発明の情報表示媒体によって表示されるコード情報の一例を示す図である。
【００１７】
本例におけるコード情報１は図１に示すように、第１の情報となる二次元コード２と、第２の情報となるバーコード３とを有している。
【００１８】
二次元コード２は、黒色を具備するドットで表されるセルドット２ａと、白色を具備するドットで表されるセルドット２ｂとが、表現する情報に応じたパターンで分布して表示されたものである。また、その３つの隅には、二次元コード２の向きや位置を正しく認識するための固定パターン２ｃが表示されている。
【００１９】
バーコード３は、黒色を具備するバー３ａと、白色を具備するバー３ｂとが交互に並んで表示され、これらバー３ａ，３ｂの幅によって識別情報が表現されたものである。
【００２０】
図２は、本発明の情報表示媒体の実施の一形態に用いられる配線電極基板の構成を示す図であり、（ａ）は表面から見た図、（ｂ）は（ａ）に示したＡ−Ａ’断面図である。なお、図２に示す配線電極基板１０は、図１に示したコード情報１を表示するための情報表示媒体に用いられるものである。
【００２１】
本形態における配線電極基板１０は図２に示すように、図１に示したコード情報１のうち二次元コード２を表示するための第１の領域となる二次元コード領域２０と、図１に示したコード情報１のうちバーコード３を表示するための第２の領域となるバーコード領域３０とを有している。
【００２２】
二次元コード領域２０には、ベース基板１１の一方の面上に配線２２が形成されており、この配線２２が形成された面上に、導通部となるスルーホール１３を有する絶縁層１２が積層されている。また、絶縁層１２上に、図１に示したセルドット２ａ，２ｂのそれぞれに対応して１つのセルドット２ａ，２ｂと同一の形状を有するセル電極２１がマトリックス状に形成されているとともに、図１に示した固定パターン２ｃに対応する電極２３が形成されている。そして、セル電極２１及び電極２３は、スルーホール１３を介して配線２２と接続されている。なお、配線２２は、セル電極２１に選択的に電圧を印加できるようにベース基板１１上にて所定のパターンを有して形成されている。このように、二次元コード領域２０においては、セル電極２１のそれぞれが絶縁層１２上に形成されており、この絶縁層１２に形成されたスルーホール１３を介してセル電極２１が絶縁層１２下の配線２２に接続されているので、セル電極２１がマトリックス状に密となって配置された状態において、セル電極２１に接続された配線を他のセル電極２１介して外部に引き出す必要がなくなる。
【００２３】
バーコード領域３０には、ベース基板１１の一方の面の全面に絶縁層１２が積層されており、この絶縁層１２上に、複数の帯状電極３１が微小間隔で並んで形成されているとともに、帯状電極３１に接続された配線３２が形成されている。このように、バーコード領域３０においては、帯状電極３１とこれに接続された配線３２とが絶縁層１２の同一面上に形成されているので、帯状電極３１が非常に細いものであって二次元コード領域２０のように絶縁層１２にスルーホール１３を形成することが困難となる場合に、スルーホール１３を介することなく帯状電極３１に配線３２を接続することができる。
【００２４】
なお、セル電極２１、電極２３及び帯状電極３１が、本発明における表示電極となり、これらから第１の電極層が構成される。
【００２５】
図３は、図２に示した配線電極基板１０を用いた情報表示媒体の構成を示す図であり、（ａ）は表面から見た図、（ｂ）は（ａ）に示したＡ−Ａ’断面図、（ｃ）は（ｂ）に示したＡ部拡大図である。
【００２６】
本形態における情報表示媒体は図３に示すように、図２に示した配線電極基板１０のセル電極２１、電極２３及び帯状電極３１が形成された面に、情報表示層４０と、透明基材である透明導電膜基板５０とが積層されて構成された薄型のコード表示カード４であり、配線電極基板１０と同様に、二次元コード領域２０とバーコード領域３０とを有している。
【００２７】
透明導電膜基板５０は、ガラス等からなる透明基板５１の一方の面に第２の電極層となる透明電極（例えば、ＩＴＯ）５２が形成されて構成されており、また、情報表示層４０は、隔壁４１とシール層４４とで囲まれた領域に、帯電性粒子４３が分散した隔壁内液体４２が収容されて構成されている。そして、これら配線電極基板１０、情報表示層４０及び透明導電膜基板５０は、透明電極５２と、セル電極２１、電極２３及び帯状電極３１とが、隔壁４１とシール層４４とで囲まれた領域に収容された隔壁内液体４２を介して対向するように積層されている。なお、隔壁４１は、底部と、情報表示層４０の外周部となる側部と、側部で囲まれた領域を、例えば１３０μｍ□で複数の領域に区画するための壁部とからなり、底部とは反対側の面が開口した形状となっている。そして、底部側が透明導電膜基板５０に対向するように積層されており、開口した側にシール層４４が積層されている。
【００２８】
また、透明導電膜基板５０は、セル電極２１、電極２３及び帯状電極３１に対向しない領域に、例えば黒色等のマスク印刷５３が施されており、それにより、配線電極基板１０に形成された配線３２が透明導電膜基板５０を介して視認されないようになっている。
【００２９】
このようなコード表示カード４は、作業指示書や棚札として利用することができ、また、カードの形態ではなく、ベース基板１１としてラベル基材を用いることによりラベルとしても利用することが考えられる。
【００３０】
以下に、上記のように構成されたコード表示カード４の製造方法について説明する。
【００３１】
図４は、図３に示したコード表示カード４の製造方法を説明するための図である。
【００３２】
図３に示したコード表示カード４を製造する場合は、まず、ベース基板１１の一方の面のうち二次元コード領域２０に導電性ペースト等の導電性のインキを用いた印刷によって配線２２を形成する（図４（ａ））。
【００３３】
次に、ベース基板１１の配線２２が形成された面の全面に、スルーホール１３を具備する絶縁層１２を積層する（図４（ｂ））。この絶縁層１２はベース基板１１の配線が形成された面に絶縁性のインキを用いた印刷によって積層することが考えられるが、そのように絶縁層１２を印刷によって積層する場合、スルーホール１３が配置される領域に絶縁層１２が積層されないようなパターンで印刷を行うことにより、絶縁層１２を積層すると同時にスルーホール１３を形成することができる。また、絶縁層１２を印刷以外の方法によって積層する場合は、ベース基板１１の配線２２が形成された面の全面に絶縁層１２を積層した後、絶縁層１２にスルーホール１３を形成することが考えられる。
【００３４】
このようにベース基板１１の配線２２が形成された面の全面に絶縁層１２が積層された状態においては、絶縁層１２が、ベース基板１１の一方の面のうち二次元コード領域２０に形成されている配線２２の厚みに追従しないため、配線２２による二次元コード領域２０とバーコード領域３０との間の厚みの差が絶縁層１２によって吸収され、絶縁層１２の表面はスルーホール１３を除いてフラットな状態となっている。
【００３５】
次に、絶縁層１２上に、導電性ペースト等の導電性インキを用いた印刷によって、二次元コード領域２０にセル電極２１及び電極２３を形成するとともに、バーコード領域３０に帯状電極３１及びこれに接続された配線３２を形成する（図４（ｃ））。すると、二次元コード領域２０においては、導電性インキがスルーホール１３内に流れ込み、セル電極２１及び電極２３のそれぞれが、ベース基板１１上に形成された配線２２と接続されることになる。
【００３６】
このように、その表面がフラットな状態となっている絶縁層１２上に、二次元コード領域２０にはセル電極２１及び電極２３を形成し、また、バーコード領域３０には帯状電極３１及び配線３２を形成することにより、ベース基板１１からセル電極２１及び電極２３の表面までの高さと、ベース基板１１から帯状電極３１及び配線３２の表面までの高さとが同一となる。
【００３７】
その後、ベース基板１１のセル電極２１、電極２３、帯状電極３１及び配線３２が形成された面上に、情報表示層４０と、その表面にマスク印刷５３が施された透明導電膜基板５０とを順次積層し、これらを粘着剤（不図示）によって貼り合わせることによって図３に示したコード表示カード４が完成する（図４（ｄ））。
【００３８】
このように完成したコード表示カード４においては、ベース基板１１からセル電極２１及び電極２３の表面までの高さと、ベース基板１１から帯状電極３１及び配線３２の表面までの高さとが同一となっており、これらベース基板１１からの高さが同一のセル電極２１、電極２３、帯状電極３１及び配線３２上に情報表示層４０及び透明導電性基板５０が積層されるので、透明導電性基板５０上には、セル電極２１及び電極２３が設けられた二次元コード領域２０と、帯状電極３１及び配線３２が設けられたバーコード領域３０との間に段差が生じずに、透明導電性基板５０の表面がフラットな状態となる。
【００３９】
すなわち、本形態のコード表示媒体４においては、二次元コード領域２０には、複数のセル電極２１及び電極２３に接続された配線２２がベース基板１１上に形成され、セル電極２１及び電極２３のそれぞれが、ベース基板１１の配線２２が形成された面上に積層された絶縁層１２上に、絶縁層１２に形成されたスルーホール１３を介して配線２２と接続されて形成されている一方、バーコード領域３０には、ベース基板１１上に絶縁層１２が積層され、その絶縁層１２上に帯状電極３１及び配線３２が形成されているので、この絶縁層１２によって、二次元コード領域２０とバーコード領域３０との間の厚みの差が吸収され、それにより、二次元コード２を表示する二次元コード領域２０においてセル電極２１及び電極２３とこれに接続された配線２２とが絶縁層１２を介して接続され、また、バーコード３を表示するバーコード領域３０において帯状電極３１とこれに接続された配線３２とが絶縁層１２を介さずに絶縁層１２の同一面上に形成されていても、これら二次元コード領域２０とバーコード領域３０との間に段差を生じさせることを回避することができる。
【００４０】
以下に、上述したコード表示カード４によるコード情報１の表示動作について説明する。
【００４１】
図５は、図３に示したコード表示カード４によって図１に示したコード情報１を表示する際の動作を説明するための図であり、（ａ）はセル電極２１と透明電極５２との間における電位差による帯電性粒子４３の移動を示す図、（ｂ）はコード表示カード４を透明導電膜基板５０側から見た場合の見え方を示す図である。
【００４２】
図３に示したコード表示カード４によって図１に示したコード情報１を表示する場合、例えば、透明電極５２を０Ｖとし、また、二次元コード領域２０においては、ベース基板１１に形成されたセル電極２１のうち、表現したい情報に応じて黒色のセルドット２ａを表示するためのセル電極２１に配線２２を介してマイナスの電圧を印加とするとともに、白色のセルドット２ｂを表示するためのセル電極２１に配線２２を介してプラスの電圧を印加する。また、固定パターン２ｃを表示するための電極２３に対しても、表示する色に応じて黒色を表示する部分に配線２２を介してマイナスの電圧を印加するとともに、白色を表示するための部分に配線２２を介してプラスの電圧を印加する。また、バーコード領域３０においては、絶縁層１２上に形成された帯状配線３１のうち、表現したい情報に応じて黒色のバー３ａを表示するための帯状電極３１に配線３２を介してマイナスの電圧を印加するとともに、白色のバー３ｂを表示するための帯状電極３１に配線３２を介してプラスの電圧を印加する。
【００４３】
このように、透明電極５２が０Ｖとされた状態で、セル電極２１や帯状電極３１にマイナスあるいはプラスの電圧が選択的に印加されると、マイナスの電圧が印加されたセル電極２１や帯状電極３１に対向する領域においては、セル電極２１や帯状電極３１に対して透明電極５２側がプラスとなる電位差が生じ、また、プラスの電圧が印加されたセル電極２１や帯状電極３１に対向する領域においては、セル電極２１や帯状電極３１に対して透明電極５２側がマイナスとなる電位差が生じる。すると、隔壁４１及びシール層４４で囲まれた領域に収容された隔壁内液体４２が誘電性物質からなり、帯電性粒子４３がプラス電位に帯電しているものであることから、図５（ａ）に示すように、マイナスの電圧が印加されたセル電極２１や帯状電極３１に対向する領域においては、帯電性粒子４３がセル電極２１や帯状電極３１側に引き寄せられていき、また、プラスの電圧が印加されたセル電極２１や帯状電極３１に対向する領域においては、帯電性粒子４３が透明電極５２側に引き寄せられていく。
【００４４】
そして、隔壁内液体４２が染料または顔料で黒色に着色されており、帯電性粒子４３が高屈折率の光散乱成分を含むため、このコード表示カード４を透明導電膜基板５０側から見た場合、マイナスの電圧が印加されたセル電極２１や帯状電極３１に対向する領域においては、情報表示層４０による黒色が透明導電膜基板５０を介して認識され、また、プラスの電圧が印加されたセル電極２１や帯状電極３１に対向する領域においては、情報表示層４０による白色が透明導電膜基板２０を介して認識されるようになり、二次元コード領域２０においては、黒色のセルドット２ａと白色のセルドット２ｂとが、表現する情報に応じたパターンで分布して表示され、また、バーコード領域３０においては、黒色のバー３ａと白色のバー３ｂとが、表現する情報に応じた幅で交互に並んで表示されることとなる。
【００４５】
なお、本形態のコード表示カード４のように薄型の表示媒体においては、外力によって歪みが生じる場合があるが、その場合、二次元コード領域２０とバーコード領域３０との間にて段差が生じていると、その段差の部分において外部からの光が乱反射したり光のノイズが生じたりしてしまい、情報表示層４０による表示色が見にくくなってしまう。ところが、本形態のコード表示カード４においては、上述したように二次元コード領域２０とバーコード領域３０との間にて段差が生じていないため、外力によって歪みが生じた場合であっても、情報表示層４０による表示色が見にくくなってしまうことがない。
【００４６】
また、本形態においては、二次元コード２を表示するための二次元コード領域２０と、バーコード３を表示するためのバーコード領域３０とを有し、これら二次元コード領域２０とバーコード領域３０との間に段差が生じることを回避するものを例に挙げて説明したが、本発明はこれに限らず、ベース基材上に配線が形成されるとともにこの配線上に絶縁層が積層され、絶縁層上に配線と接続された第１の電極層が形成された第１の領域と、ベース基材上において配線とこれに接続された第２の電極層とが基材の同一面上に設けられた第２の領域とを有するものであれば、第２の領域において、ベース基材上に第１の領域と同様に絶縁層を積層し、その絶縁層上に配線及びこれに接続された第２の電極層を形成することにより、これら層構成が互いに異なる第１の領域と第２の領域との間に段差が生じることを回避することができる。
【符号の説明】
【００４７】
１    コード情報
２    二次元コード
３    バーコード
２ａ，２ｂ    セルドット
２ｃ    固定パターン
３ａ，３ｂ    バー
４    コード表示カード
１０    配線電極基板
１１    ベース基板
１２    絶縁層
１３    スルーホール
２０    二次元コード領域
２１    セル電極
２２，３２    配線
２３    電極
３０    バーコード領域
３１    帯状電極
４０    情報表示層
４１    隔壁
４２    隔壁内液体
４３    帯電性粒子
４４    シール層
５０    透明導電膜基板
５１    透明基板
５２    透明電極
５３    マスク印刷
【図１】
2012073480.tif 000003
【図２】
2012073480.tif 000004
【図３】
2012073480.tif 000005
【図４】
2012073480.tif 000006
【図５】
2012073480.tif 000007